(57)【要約】      （修正有）【課題】複数の端末装置に割り当てられている無線リソースを使用してプリエンプションを行った場合に、当該複数の端末装置に対して制御情報を一括して通知できるようにする技術を提供する。【解決手段】基地局装置は、ｅＭＢＢ用の複数の端末装置との通信中に、当該複数の端末装置に既に割り当てられている無線リソースの一部を使用してＵＲＬＬＣ用の端末装置へのデータの送信（プリエンプション）を行う場合に、プリエンプションに関連する制御情報の通知用に、個別無線リソース又は共通無線リソースを選択する（Ｓ６３）。基地局装置は、個別無線リソース及び共通無線リソースのうちで選択した無線リソースを使用して、プリエンプションに関連する制御情報を端末装置へ通知する（Ｓ６４）。【選択図】図６
2018182359.tif 000002
【特許請求の範囲】
【請求項１】
第１及び第２端末装置との通信中に、前記第１及び第２端末装置に割り当てられている無線リソースにおける一部の無線リソースを使用して第３端末装置宛てのデータを送信する送信処理を行うことを決定する決定手段と、
前記一部の無線リソースを使用して、前記決定手段による決定に従って前記第３端末装置へデータを送信する送信手段と、
前記第１及び第２端末装置がそれぞれ復調を行うことが可能な個別の無線リソースと、前記第１及び第２端末装置の両方が共通に復調を行うことが可能な共通の無線リソースとのいずれかの無線リソースを使用して、前記送信処理に関連する制御情報を前記第１及び第２端末装置へ通知する通知手段と、
を有することを特徴とする基地局装置。
【請求項２】
前記送信手段は、前記一部の無線リソースにおける前記第１端末装置宛てのデータ及び前記第２端末装置宛てのデータを前記第３端末装置宛てのデータに置き換えて、前記第３端末装置へデータを送信する
ことを特徴とする請求項１に記載の基地局装置。
【請求項３】
前記共通の無線リソースは、グループ化された複数の端末装置のみが復調を行うことが可能な無線リソース、又は全ての端末装置が復調を行うことが可能な無線リソースである
ことを特徴とする請求項１又は２に記載の基地局装置。
【請求項４】
前記通知手段は、前記第１端末装置に対してスケジューリングされたデータ送信が完了するタイミングと前記第２端末装置に対してスケジューリングされたデータ送信が完了するタイミングとが、アラインしていない場合には、前記個別の無線リソースを使用し、アラインしている場合には、前記共通の無線リソースを使用する
ことを特徴とする請求項１から３のいずれか１項に記載の基地局装置。
【請求項５】
前記第１及び第２端末装置は、オン状態においてデータの受信を行い、オフ状態においてデータの受信を行わないように動作する間欠受信（ＤＲＸ）機能を有し、
前記通知手段は、
前記第１端末装置に対してスケジューリングされたデータ送信と前記第２端末装置に対してスケジューリングされたデータ送信とが完了するタイミングに、前記第１及び第２端末装置の少なくともいずれかが前記オフ状態である場合には、前記個別の無線リソースを使用し、前記第１及び第２端末装置の両方が前記オン状態である場合には、前記共通の無線リソースを使用する
ことを特徴とする請求項１から３のいずれか１項に記載の基地局装置。
【請求項６】
前記通知手段は、前記第１端末装置に割り当てられた無線リソースにおいて前記第３端末装置へのデータの送信に用いられる領域と、前記第２端末装置に割り当てられた無線リソースにおいて前記第３端末装置へのデータの送信に用いられる領域とが連続していなければ、前記個別の無線リソースを使用する
ことを特徴とする請求項１から５のいずれか１項に記載の基地局装置。
【請求項７】
前記通知手段は、
前記共通の無線リソースを使用して通知を行う場合には、前記第１端末装置に対してスケジューリングされたデータ送信及び前記第２端末装置に対してスケジューリングされたデータ送信の完了に応じて、前記第１及び第２端末装置へ前記制御情報を通知し、
前記個別の無線リソースを使用して通知を行う場合には、前記第１端末装置に対してスケジューリングされたデータ送信の完了に応じて前記第１端末装置へ前記制御情報を通知し、前記第２端末装置に対してスケジューリングされたデータ送信の完了に応じて前記第２端末装置へ前記制御情報を通知する
ことを特徴とする請求項１から６のいずれか１項に記載の基地局装置。
【請求項８】
前記第１端末装置との通信及び前記第２端末装置との通信は、それぞれ異なる空間レイヤに空間多重されており、
前記通知手段は、前記共通の無線リソースを使用して通知を行う場合には、１つの空間レイヤの無線リソースを使用し、かつ、送信ダイバーシチを適用した送信によって、前記制御情報を前記第１及び第２端末装置へ通知する
ことを特徴とする請求項１から７のいずれか１項に記載の基地局装置。
【請求項９】
前記通知手段は、前記第３端末装置へのデータの送信がＯＦＤＭシンボル単位で行われた場合には、使用されたＯＦＤＭシンボルを示す情報を前記制御情報に含め、ＯＦＤＭシンボル単位で行われなかった場合には、使用された無線リソースが配置された領域を示す情報を前記制御情報に含める
ことを特徴とする請求項１から８のいずれか１項に記載の基地局装置。
【請求項１０】
端末装置であって、
基地局装置から割り当てられた無線リソースを使用して前記基地局装置からデータを受信し、当該受信したデータを記憶手段に蓄積する蓄積手段と、
前記端末装置に割り当てられている無線リソースにおける一部の無線リソースを使用して他の端末装置へのデータの送信処理が行われた場合に前記基地局装置から通知される、前記送信処理に関連する制御情報を受信するために、前記端末装置が復調を行うことが可能な個別の無線リソースと、前記端末装置を含む複数の端末装置が共通に復調を行うことが可能な共通の無線リソースとの両方について、前記制御情報の受信を試みる受信手段と、
前記受信手段によって受信された前記制御情報に従って、前記記憶手段に蓄積されたデータの復調処理を行う復調手段と、
を有することを特徴とする端末装置。
【請求項１１】
基地局装置の制御方法であって、
第１及び第２端末装置との通信中に、前記第１及び第２端末装置に割り当てられている無線リソースにおける一部の無線リソースを使用して第３端末装置宛てのデータを送信する送信処理を行うことを決定する決定工程と、
前記一部の無線リソースを使用して、前記決定工程における決定に従って前記第３端末装置へデータを送信する送信工程と、
前記第１及び第２端末装置がそれぞれ復調を行うことが可能な個別の無線リソースと、前記第１及び第２端末装置の両方が共通に復調を行うことが可能な共通の無線リソースとのいずれかの無線リソースを使用して、前記送信処理に関連する制御情報を前記第１及び第２端末装置へ通知する通知工程と、
を有することを特徴とする制御方法。
【請求項１２】
端末装置の制御方法であって、
基地局装置から割り当てられた無線リソースを使用して前記基地局装置からデータを受信し、当該受信したデータを記憶手段に蓄積する蓄積工程と、
前記端末装置に割り当てられている無線リソースにおける一部の無線リソースを使用して他の端末装置へのデータの送信処理が行われた場合に前記基地局装置から通知される、前記送信処理に関連する制御情報を受信するために、前記端末装置が復調を行うことが可能な個別の無線リソースと、前記端末装置を含む複数の端末装置が共通に復調を行うことが可能な共通の無線リソースとの両方について、前記制御情報の受信を試みる受信工程と、
前記受信工程において受信された前記制御情報に従って、前記記憶手段に蓄積されたデータの復調処理を行う復調工程と、
を有することを特徴とする制御方法。
【請求項１３】
請求項１１に記載の制御方法の各工程を、基地局装置が備えるコンピュータに実行させるためのプログラム。
【請求項１４】
請求項１２に記載の制御方法の各工程を、端末装置が備えるコンピュータに実行させるためのプログラム。
【発明の詳細な説明】
【技術分野】
【０００１】
本発明は、無線通信システムの無線リソース割り当て技術に関するものである。
【背景技術】
【０００２】
第３世代パートナーシッププロジェクト（３ＧＰＰ）では、現在、New Radio（ＮＲ）と称される第５世代のセルラ通信システムの規格化が進められている。ＮＲでは、高速・大容量の通信（ｅＭＢＢ：enhanced Mobile Broadband）だけでなく、高信頼・低遅延の通信（ＵＲＬＬＣ：Ultra-Reliable and Low Latency Communications）もサポートすることが想定されている。特に、下りリンクでＵＲＬＬＣを実現するために、ｅＭＢＢ通信中にＵＲＬＬＣが割り込むプリエンプション（preemption）と称される仕組みが検討されている（非特許文献１及び２参照）。
【先行技術文献】
【非特許文献】
【０００３】
【非特許文献１】Samsung，Preemption-based multiplexing between eMBB and URLLC for DL，3GPP TSG-RAN WG1 NR Ad-Hoc Meeting，R1-1700966，2017年1月16〜20日
【非特許文献２】Samsung，Evaluation Results of Superposition for Multiplexing eMBB and URLLC，3GPP TSG-RAN WG1 NR Ad-Hoc Meeting，R1-1700969，2017年1月16〜20日
【発明の概要】
【発明が解決しようとする課題】
【０００４】
プリエンプションでは、ｅＭＢＢ用の端末装置へ送信されるデータの間引きを行うことに起因して、当該ｅＭＢＢ用の端末装置の受信性能に影響を与える。このため、基地局装置からｅＭＢＢ用の端末装置に対して、プリエンプションに関連する制御情報を通知することが検討されている（非特許文献１参照）。しかし、ｅＭＢＢ用の複数の端末装置に割り当てられている無線リソースを使用してプリエンプションを行った場合、端末装置ごとに制御情報を基地局装置から通知すると、当該通知のために無線リソースを浪費し、周波数利用効率が低下する。
【０００５】
本発明は、上述の課題に鑑みてなされたものである。本発明は、複数の端末装置に割り当てられている無線リソースを使用してプリエンプションを行った場合に、当該複数の端末装置に対して制御情報を一括して通知できるようにする技術を提供することを目的としている。
【課題を解決するための手段】
【０００６】
本発明の一態様の係る基地局装置は、第１及び第２端末装置との通信中に、前記第１及び第２端末装置に既に割り当てられている無線リソースにおける一部の無線リソースを使用して第３端末装置宛てのデータを送信する送信処理を行うことを決定する決定手段と、前記一部の無線リソースを使用して、前記決定手段による決定に従って前記第３端末装置へデータを送信する送信手段と、前記第１及び第２端末装置がそれぞれ復調を行うことが可能な個別の無線リソースと、前記第１及び第２端末装置の両方が共通に復調を行うことが可能な共通の無線リソースとのいずれかの無線リソースを使用して、前記送信処理に関連する制御情報を前記第１及び第２端末装置へ通知する通知手段と、を有することを特徴とする。
【０００７】
本発明の一態様の係る端末装置は、基地局装置から割り当てられた無線リソースを使用して前記基地局装置からデータを受信し、当該受信したデータを記憶手段に蓄積する蓄積手段と、前記端末装置に既に割り当てられている無線リソースにおける一部の無線リソースを使用して他の端末装置へのデータの送信処理が行われた場合に前記基地局装置から通知される、前記送信処理に関連する制御情報を受信するために、前記端末装置が復調を行うことが可能な個別の無線リソースと、前記端末装置を含む複数の端末装置が共通に復調を行うことが可能な共通の無線リソースとの両方について、前記制御情報の受信を試みる受信手段と、前記受信手段によって受信された前記制御情報に従って、前記記憶手段に蓄積されたデータの復調処理を行う復調手段と、を有することを特徴とする。
【発明の効果】
【０００８】
本発明によれば、複数の端末装置に割り当てられている無線リソースを使用してプリエンプションを行った場合に、当該複数の端末装置に対して制御情報を一括して通知することが可能になる。
【図面の簡単な説明】
【０００９】
【図１】無線通信システムの構成例を示す図
【図２】ｅＭＢＢ用の端末装置との通信に対する割り込みの例を示す図
【図３】基地局装置及び端末装置のハードウェア構成例を示すブロック図
【図４】基地局装置の機能構成例を示すブロック図
【図５】端末装置の機能構成例を示すブロック図
【図６】基地局装置によって実行される処理の手順を示すフローチャート
【図７】プリエンプションに関連する制御情報の送信例を示す図
【図８】プリエンプションに関連する制御情報の送信例を示す図
【図９】使用される無線リソースに対応する制御情報の生成例を示す図
【図１０】ｅＭＢＢ用の端末装置によって実行される処理の手順を示すフローチャート
【図１１】ＭＵ−ＭＩＭＯが使用される場合の、プリエンプションに関連する制御情報の送信例を示す図
【図１２】プリエンプションに関連する制御情報の、端末装置の動作状態に基づく送信例を示す図
【図１３】プリエンプションに関連する制御情報の、端末装置の動作状態に基づく送信例を示す図
【発明を実施するための形態】
【００１０】
以下、本発明の例示的な実施形態について図面を参照して説明する。なお、以下の各図においては、実施形態の説明に必要ではない構成要素については図から省略する。
【００１１】
［第１実施形態］
＜システム構成＞
図１は、第１実施形態に係る無線通信システムの構成例を示す図である。本実施形態の無線通信システムは、セル１００を形成する基地局装置１０、及び複数の端末装置１１〜１３を含んで構成される。図１の例では、基地局装置１０が形成するセル１００内に３つの端末装置１１〜１３が存在しているが、セル１００内には任意の数の端末装置が存在してもよい。
【００１２】
基地局装置１０と端末装置１１〜１３との間の通信は、基地局装置１０によって端末装置１１〜１３に対して割り当てられる無線リソースを用いて行われる。基地局装置１０は、端末装置１１〜１３から基地局装置１０の方向の上りリンクの通信及び基地局装置１０から端末装置１１〜１３の方向の下りリンクの通信のそれぞれについて、無線リソースの割り当てを行う。割り当てられる無線リソースは、例えば、時間及び周波数によって指定され、空間多重が使用される場合には、更に空間（空間レイヤ）によって指定されてもよい。
【００１３】
本実施形態では、端末装置１１，１２は、高速・大容量の通信（ｅＭＢＢ）を行う端末装置（第１端末装置）の一例であり、端末装置１３は、高信頼・低遅延の通信（ＵＲＬＬＣ）を行う端末装置（第２端末装置）の一例である。端末装置１１〜１３は、スマートフォンやタブレット端末等のモバイルデバイスでありうる。なお、ＵＲＬＬＣサービスには自動運転や遠隔医療等のサービスも想定されうるため、端末装置１３は、例えば、自動車（自動車に搭載された通信デバイス）であってもよい。
【００１４】
基地局装置１０は、ｅＭＢＢ用の端末装置（例えば端末装置１１，１２）との通信中にＵＲＬＬＣ用の端末装置（例えば端末装置１３）との通信を開始する場合、ｅＭＢＢ用の端末装置に既に割り当てた無線リソースの一部を使用して、ＵＲＬＬＣ用の端末装置との通信を行う（即ち、ＵＲＬＬＣ用の端末装置との通信をｅＭＢＢ用の端末装置との通信に割り込ませる）場合がある。
【００１５】
ここで、図２は、ｅＭＢＢ用の端末装置との通信に対する割り込みの例を示す図であり、ｅＭＢＢ用の端末装置である端末装置１１との通信中に、ＵＲＬＬＣ用の端末装置である端末装置１２との通信による割り込みが行われる例を示している。図２の例では、基地局装置１０は、端末装置１１へのデータ送信のスケジューリングを行うことで、無線リソース２０を端末装置１１に割り当てて、無線リソース２０を使用して端末装置１１へのデータ送信を開始する。なお、当該スケジューリングの結果は、スケジューリング情報２１として基地局装置１０から端末装置１１へ通知される。スケジューリング情報２１の通知は、時間‐周波数領域において図２に示す領域に限定されず、その他の領域の無線リソースを使用して行われてもよい。その後、端末装置１１との通信中に端末装置１２との通信の要求が生じると、基地局装置１０は、端末装置１１に対して割り当てた無線リソース２０における一部の無線リソース２５を使用して、端末装置１２へデータを送信する。なお、基地局装置１０は、データ送信の開始前に、当該データ送信に関するスケジューリング情報２６を、無線リソース２０とは異なる周波数の無線リソースを使用して端末装置１２へ通知する。スケジューリング情報２６の通知は、時間‐周波数領域において図２に示す領域に限定されず、その他の領域の無線リソースを使用して行われてもよい。
【００１６】
基地局装置１０は、ｅＭＢＢ用の端末装置（端末装置１１）との通信に対する上述のような割り込み処理によって、ＵＲＬＬＣ用の端末装置（端末装置１２）との通信を短時間で開始できる。本実施形態では、ｅＭＢＢ用の端末装置（端末装置１１）との通信に対する割り込み処理は、プリエンプション（preemption）と称される仕組みによって実現される。プリエンプションは、ｅＭＢＢ用の端末装置（第１端末装置）宛てのデータをＵＲＬＬＣ用の端末装置（第２端末装置）宛てのデータに置き換えて、当該データをＵＲＬＬＣ用の端末装置へ送信する送信処理に相当する。
【００１７】
上述のように、プリエンプションは、ｅＭＢＢ用の端末装置へ送信されるデータの間引き（パンクチャ）を行うことに起因して、当該ｅＭＢＢ用の端末装置の受信性能を劣化させうる。このため、ｅＭＢＢ用の端末装置において復調処理を適切に行えるように、基地局装置１０からｅＭＢＢ用の端末装置に対してプリエンプションに関連する制御情報を通知する必要がありうる。しかし、ｅＭＢＢ用の複数の端末装置に割り当てられている無線リソース（即ち、それぞれ異なる端末装置に対応する複数の無線リソースにわたる領域の無線リソース）を使用してプリエンプションを行った場合に、端末装置ごとに制御情報を通知すると、当該通知のために無線リソースを浪費し、周波数利用効率が低下する。
【００１８】
そこで、本実施形態では、ｅＭＢＢ用の複数の端末装置に割り当てられている無線リソースを使用してプリエンプションを行った場合に、当該複数の端末装置に対して制御情報を一括して通知できるようにする。具体的には、基地局装置１０は、ｅＭＢＢ用の複数の端末装置（端末装置１１，１２）との通信中に、当該複数の端末装置に割り当てられている無線リソースの一部を使用してプリエンプションを行った場合に、対応する制御情報の通知用に、各端末装置が個別に復調を行うことが可能な個別の無線リソースと、当該複数の端末装置のいずれもが共通に復調を行うことが可能な共通の無線リソースとのいずれかを使用する。更に、基地局装置１０は、個別無線リソース及び共通無線リソースのうちのいずれかの無線リソースを使用して、プリエンプションに関連する制御情報を複数の端末装置へ通知する。
【００１９】
このように、プリエンプションに関連する制御情報の送信のために、個別無線リソースだけでなく共通無線リソースを使用可能にすることで、ｅＭＢＢ用の複数の端末装置に対して制御情報を一括して通知することが可能になる。以下では、上述のような処理を実現するための基地局装置１０及び端末装置１１の構成例、及び各装置によって実行される処理の例について説明する。
【００２０】
＜装置構成＞
図３は、基地局装置及び端末装置のハードウェア構成例を示すブロック図である。基地局装置１０及び端末装置１１は、図３に示すようなハードウェア構成を有し、例えば、ＣＰＵ３１、ＲＯＭ３２、ＲＡＭ３３、外部記憶装置３４、及び通信装置３５を有する。なお、端末装置１２，１３は端末装置１１と同様の構成を有しうる。
【００２１】
基地局装置１０及び端末装置１１では、例えばＲＯＭ３２、ＲＡＭ３３及び外部記憶装置３４のいずれかに格納された、基地局装置１０及び端末装置１１の各機能を実現するプログラムがＣＰＵ３１によって実行される。なお、ＣＰＵ３１は、ＡＳＩＣ（特定用途向け集積回路）、ＦＰＧＡ（フィールドプログラマブルゲートアレイ）、ＤＳＰ（デジタルシグナルプロセッサ）等の１つ以上のプロセッサによって置き換えられてもよい。
【００２２】
基地局装置１０（端末装置１１）は、例えばＣＰＵ３１により通信装置３５を制御して、端末装置１１（基地局装置１０）との間の通信を行う。なお、図２では、基地局装置１０及び端末装置１１は、１つの通信装置３５を有するように示されているが、これに限定されない。例えば、端末装置１１は、２つ以上の基地局装置と通信するために２つ以上の通信装置３５を有してもよいし、更に、他のシステムでの通信のための別の通信装置３５を有してもよい。
【００２３】
なお、基地局装置１０及び端末装置１１は、各機能を実行する専用のハードウェアを備えてもよいし、一部をハードウェアで実行し、プログラムを動作させるコンピュータでその他の部分を実行してもよい。また、全機能がコンピュータとプログラムにより実行されてもよい。
【００２４】
図４は、基地局装置の機能構成例を示すブロック図である。基地局装置１０の各機能は、例えば図３のハードウェアによって実現される論理的な機能であり、ＣＰＵ３１がＲＯＭ３２等に格納されたプログラムを実行することによって実現されうる。本実施形態では、基地局装置１０は、無線通信部４１、スケジューリング部４２、データ送信部４３、及び通知送信部４４を有する。
【００２５】
無線通信部４１は、端末装置１１〜１３等の端末装置との間で、セルラ通信規格に従った通信により無線信号の送受信を行う。スケジューリング部４２は、各端末装置との間の上りリンクの通信及び下りリンクの通信のスケジューリングを行う。なお、以下では、下りリンクの通信についてのみ説明する。スケジューリングは、（例えば、ロングタームエボリューション（ＬＴＥ）におけるＴＴＩ（送信時間間隔）のような）スケジューリング期間ごとに行われてもよい。また、１回のスケジューリングにより、対応するスケジューリング期間内で１つ以上のスロット（又はサブフレーム）の送信が行われてもよい。
【００２６】
スケジューリング部４２は、ＵＲＬＬＣ用の端末装置（端末装置１３）へ下りリンクのデータ送信を行う際に、ｅＭＢＢ用の１つ以上の端末装置（端末装置１１，１２）に既に割り当てられている無線リソースの一部を用いたデータ送信（割り込み処理）のスケジューリングを行いうる。このデータ送信は、上述のように、プリエンプションによって実現される。
【００２７】
データ送信部４３は、スケジューリング部４２によるスケジューリング結果に従って、無線通信部４１を介して、各端末装置へのデータ送信を行う。通知送信部４４は、プリエンプションに関連する制御情報（割り込み処理に関連する制御情報）を、無線通信部４１を介して、割り込み処理の影響を受けるｅＭＢＢ用の端末装置へ送信する。その際、通知送信部４４は、以下で詳しく説明する基準に従って、制御情報の送信用の無線リソース（制御チャネル）として個別無線リソースと共通無線リソースとのいずれかを使用する。個別無線リソースは、個別の端末装置のみが復調を行うことが可能な無線リソースであり、共通無線リソースは、複数の端末装置のいずれもが共通に復調を行うことが可能な無線リソースである。共通無線リソースの例として、グループ化された複数の端末装置のみが復調を行うことが可能な、マルチキャスト用の無線リソースと、全ての端末装置が復調を行うことが可能な、ブロードキャスト用の無線リソースとがある。
【００２８】
図５は、端末装置の機能構成例を示すブロック図である。端末装置１１の各機能は、例えば図３のハードウェアによって実現される論理的な機能であり、ＣＰＵ３１がＲＯＭ３２等に格納されたプログラムを実行することによって実現されうる。本実施形態では、端末装置１１は、無線通信部５１、データ受信部５２、データ記憶部５３、通知受信部５４、及び復調処理部５５を有する。
【００２９】
無線通信部５１は、基地局装置１０等の基地局装置との間で、セルラ通信規格に従った通信により無線信号の送受信を行う。データ受信部５２は、無線通信部５１を介して、基地局装置からスケジューリング情報を受信するとともに、受信したスケジューリング情報に従って、当該基地局装置によって割り当てられた無線リソースを使用して当該基地局装置からデータを受信する。データ記憶部５３には、データ受信部５２によって受信されたデータが格納される。データ受信部５２は、スケジューリング期間ごとに基地局装置からデータを受信すると、受信したデータをデータ記憶部５３に蓄積する。
【００３０】
通知受信部５４は、上述の割り込み処理（プリエンプション）が行われた場合に基地局装置（通知送信部４４）から通知される制御情報を、無線通信部５１を介して当該基地局装置から受信する。通知受信部５４は、基地局装置からデータが受信される際には、制御情報の通知が受信可能となるように、制御情報の通知に用いられる無線リソース（制御チャネル）をモニタリングする。具体的には、通知受信部５４は、上述の個別無線リソースと共通無線リソースとの両方についてモニタリングを行うことで、制御情報の受信を試みる。復調処理部５５は、通知受信部５４によって制御情報が受信された場合に、当該制御情報に従って、スケジューリング期間ごとに、データ記憶部５３に蓄積されたデータの復調処理を行う。
【００３１】
＜基地局装置の処理手順＞
図６は、基地局装置によって実行される処理の手順を示すフローチャートである。本実施形態の基地局装置１０は、ｅＭＢＢ用の端末装置との通信中にＵＲＬＬＣ用の端末装置へのデータ送信の要求が生じると、図６の手順に従った処理を実行する。ここでは、ｅＭＢＢ用の複数の端末装置１１，１２（第１及び第２の端末装置）との通信中にＵＲＬＬＣ用の端末装置１３へのデータ送信の要求が生じた場合を例に説明する。
【００３２】
また、図７及び図８は、端末装置１１，１２に既に割り当てられている無線リソースの一部（無線リソース７３１）を使用して、プリエンプションにより端末装置１３へデータが送信される場合の、プリエンプションに関連する制御情報の送信例を示す図である。図７は、共通無線リソース（無線リソース７４０）を使用して制御情報が送信される例を示し、図８は、個別無線リソース（無線リソース７４１，７４２）を使用して制御情報が送信される例を示している。なお、図７及び図８に示される、制御情報の送信に使用される無線リソース７４０〜７４２の時間位置、周波数位置及びサイズは、あくまで例示にすぎず、セルラ通信規格に準じて任意に定めることが可能である。また、図７及び図８では、複数の端末装置にそれぞれ割り当てられる無線リソースが、端末装置間で、周波数方向において隣接している場合を一例として示しているが、隣接していなくてもよい。
【００３３】
まずＳ６１で、基地局装置１０は、端末装置１３へのデータ送信をスケジューリングする。本例では、図７（Ａ）に示すように、端末装置１１，１２にそれぞれ割り当てられた無線リソース７１１，７２１の一部の領域であり、かつ、無線リソース７１１，７２１にわたる連続した領域の無線リソース７３１を用いたデータ送信がスケジューリングされた場合を想定する。即ち、Ｓ６２では、基地局装置１０は、複数の端末装置１１，１２との通信中に、当該複数の端末装置に既に割り当てられている無線リソース７１１，７２１における一部の無線リソース７３１を使用して端末装置１３宛てのデータを送信する送信処理（プリエンプション）を行うことを決定する。
【００３４】
次にＳ６２で、基地局装置１０は、Ｓ６１におけるスケジューリング結果に従って、プリエンプションにより端末装置１３へデータを送信する。具体的には、基地局装置１０は、無線リソース７３１において、端末装置１１，１２宛てのデータを間引いて端末装置１３宛てのデータに置き換えて、端末装置１３宛てのデータを送信する。更にＳ６３で、基地局装置１０は、Ｓ６２で行ったプリエンプションに関連する制御情報の送信用の無線リソースとして、個別無線リソース又は共通無線リソースを選択する。
【００３５】
本実施形態では、基地局装置１０は、端末装置１１に対してスケジューリングされたデータ送信が完了するタイミングと、端末装置１２に対してスケジューリングされたデータ送信が完了するタイミングとがアラインしているか否かを判定する。この判定は、端末装置１１，１２へのデータ送信のスケジューリング結果（スケジューリング情報７１２，７２２）に基づいて行われる。基地局装置１０は、図７（Ａ）に示すように、端末装置１１と端末装置１２との間でデータ送信の完了タイミングがアラインしている場合には、共通無線リソースを選択する。一方、基地局装置１０は、図８（Ａ）に示すように、端末装置１１と端末装置１２との間でデータ送信の完了タイミングがアラインしていない場合には、個別無線リソースを選択する。
【００３６】
データ送信の完了タイミングがアラインしていない場合に共通無線リソースを使用して制御情報を送信すると、先に通信が完了した端末装置（図８（Ａ）では端末装置１２）における復調処理に遅延が生じる可能性がある。上述の選択処理によれば、データ送信の完了タイミングがアラインしていない場合には個別無線リソースが使用されることになるため、このような復調処理の遅延が発生することを防止できる。また、データ送信の完了タイミングがアラインしている場合に共通無線リソースを使用して制御情報を送信することで、複数の端末装置宛ての制御情報を一括して送信することができる。これにより、無線リソースの浪費を防止し、周波数利用効率を高めることが可能になる。
【００３７】
ここで、図７及び図９を参照して、複数の端末装置宛ての制御情報を一括して送信する方法の例について説明する。基地局装置１０は、プリエンプションが行われる無線リソース７３１を示す情報を制御情報に含める。図７（Ａ）に示すような無線リソース７３１を示す情報として、例えば、無線リソース７３１が配置された領域（対象領域）の起点及び（時間方向及び周波数方向の）サイズを示す領域情報が、制御情報に含められる。
【００３８】
具体的には、図９（Ｂ）に示すように、対象領域の起点ａ、周波数方向のサイズｂ及び時間方向のサイズｃを示す情報が、領域情報として生成される。図９（Ｂ）の場合、図９（Ａ）のように、対象領域内の、端末装置１１に割り当てられた無線リソース７１１に属する領域と端末装置１２に割り当てられた無線リソース７２１に属する領域とで個別に領域情報を生成する場合よりも、情報量が少なくて済む。なお、図９（Ａ）の場合、対象領域の時間方向のサイズｃと、無線リソース７１１側の領域の起点ａ１及び周波数方向のサイズｂ１と、無線リソース７２１側の領域の起点ａ２及び周波数方向のサイズｂ２とを示す情報が、領域情報として生成される。図９（Ｂ）に示すように、より少ない情報量の領域情報を制御情報に含めて、当該制御情報を、共通無線リソースを用いて一括して端末装置１１，１２へ送信することによって、周波数利用効率を高めることが可能である。
【００３９】
また、図７（Ｂ）は、ＯＦＤＭシンボル単位でプリエンプションが行われた（即ち、無線リソース７３１がＯＦＤＭシンボル単位の領域を占める）場合を示している。この場合、基地局装置１０は、例えば、無線リソース７３１に対応するＯＦＤＭシンボルを示す情報（例えば、ＯＦＤＭシンボルの番号又はインデックス）のみを、領域情報として制御情報に含めればよい。この場合にも、制御情報の情報量が少なくて済むため、共通無線リソースを用いて当該制御情報を一括して端末装置１１，１２へ送信することによって、周波数利用効率を高めることが可能である。
【００４０】
なお、図８（Ｂ）に示すように、端末装置１１に割り当てられた無線リソース７１１において端末装置１３へのデータの送信に用いられる領域（無線リソース７３１ａ）と、端末装置１２に割り当てられた無線リソース７２１において端末装置１３へのデータの送信に用いられる領域（無線リソース７３１ｂ）とが連続していない場合もありうる。即ち、無線リソース７３１ａ及び無線リソース７３１ｂのように、端末装置１１，１２間で独立した無線リソースでプリエンプションが行われる場合もありうる。このような場合には、基地局装置１０は、図８（Ｂ）に示すように、Ｓ６３において共通無線リソースではなく個別無線リソース（無線リソース７４１，７４２）を選択してもよい。
【００４１】
その後、無線リソース７１１，７２１を用いた端末装置１１，１２へのデータ送信がいずれも完了すると、Ｓ６４で、基地局装置１０は、プリエンプションに関連する制御情報を、Ｓ６３で選択した無線リソースを用いて端末装置１１，１２へ通知する。
【００４２】
具体的には、基地局装置１０は、共通無線リソースを選択した場合には、図７に示すように、端末装置１１，１２へのデータ送信の完了に応じて、無線リソース７４０を用いて端末装置１１，１２宛ての制御情報を送信する。一方、基地局装置１０は、個別無線リソースを選択した場合には、図８に示すように、端末装置１１へのデータ送信の完了に応じて、無線リソース７４１を用いて端末装置１１宛ての制御情報を送信する。更に、端末装置１２へのデータ送信の完了に応じて、無線リソース７４２を用いて端末装置１２宛ての制御情報を送信する。その後、基地局装置１０は処理を終了する。
【００４３】
＜端末装置の処理手順＞
図１０は、ｅＭＢＢ用の端末装置によって実行される処理の手順を示すフローチャートである。端末装置１１は、基地局装置１０からスケジューリング情報（図７のスケジューリング情報７１２）を受信すると、図８の手順に従った処理を実行する。ここでは、端末装置１１について説明するが、端末装置１２も、基地局装置１０からスケジューリング情報（図７のスケジューリング情報７２２）を受信すると、同様の処理を実行しうる。
【００４４】
まずＳ１０１で、端末装置１１は、受信したスケジューリング情報７１２に従って、基地局装置１０によって割り当てられた無線リソース７１１を使用して、基地局装置１０からデータを受信する。更にＳ１０２で、端末装置１１は、スケジューリング情報７１２に対応するスケジューリング期間における受信データをデータ記憶部５３に蓄積する。
【００４５】
その後、Ｓ１０３で、端末装置１１は、制御情報の通知に用いられる無線リソース（制御チャネル）である個別無線リソース及び共通無線リソースの両方について制御情報の受信を試みて、基地局装置１０から制御情報を受信したか否かを判定する。制御情報を受信した場合には、端末装置１１は、処理をＳ１０４へ進め、受信した制御情報に従って、データ記憶部５３に蓄積されたデータの復調処理を行い、処理を終了する。この場合、端末装置１１は、受信した制御情報が示す無線リソースで受信されたデータを間引いて、復調処理を行いうる。一方、制御情報を受信しなかった場合には、端末装置１１は、処理をＳ１０５へ進め、データ記憶部５３に蓄積されたデータに対して通常の復調処理を行い、処理を終了する。
【００４６】
以上のように、本実施形態によれば、複数の端末装置１１，１２に割り当てられている無線リソースを使用してプリエンプションを行った場合に、当該複数の端末装置１１，１２に対して制御情報を一括して通知することが可能になる。これにより、無線リソースの浪費を防止し、周波数利用効率を高めることが可能になる。
【００４７】
［第２実施形態］
第２実施形態では、ｅＭＢＢ用の端末装置に対してマルチユーザＭＩＭＯ（ＭＵ−ＭＩＭＯ）により無線リソースを割り当てている場合に、ＵＲＬＬＣ用の端末装置へのデータ送信のためにプリエンプションを行う例について説明する。以下では、第１実施形態と共通する部分については説明を省略し、相違する部分について説明する。
【００４８】
図１１は、本実施形態に係る、プリエンプションに関連する制御情報の送信例を示す図である。本例では、端末装置１１との通信と端末装置１２との通信がＭＵ−ＭＩＭＯによりそれぞれ異なる空間レイヤに多重（空間多重）されており、即ち、それぞれ異なる空間レイヤの無線リソースが端末装置１１，１２に対して割り当てられている。基地局装置１０は、レイヤ１の無線リソース７１１を用いて、端末装置１１宛てのデータを送信し、レイヤ２の無線リソース７２１を用いて、端末装置１２宛てのデータを送信している。図１１の例では、基地局装置１０は、端末装置１１，１２へのデータ送信を行っている間に、端末装置１１，１２に既に割り当てた無線リソースの一部（無線リソース７３１）を使用して、プリエンプションにより端末装置１３へデータを送信する。このとき、プリエンプションが行われる無線リソース７３１の時間位置及び周波数位置はレイヤ間で同一であり、空間多重を行わずにデータの送信が行われるものとする。
【００４９】
本実施形態では、基地局装置１０は、第１実施形態と同様、プリエンプションに関連する制御情報の送信用の無線リソースとして、個別無線リソース又は共通無線リソースを選択しうる（Ｓ６３）。基地局装置１０は、例えば、端末装置１１と端末装置１２との間でデータ送信の完了タイミングがアラインしているか否かに基づいて、個別無線リソース又は共通無線リソースを選択しうる。これにより、第１実施形態と同様、データ送信の完了タイミングがアラインしていない場合に、端末装置１１，１２のうち先に通信が完了した端末装置における復調処理に遅延が発生することを防止できる。
【００５０】
共通無線リソースを選択した場合には、基地局装置１０は、１つの空間レイヤの無線リソースを使用し、かつ、送信ダイバーシチを適用した送信によって、制御情報を端末装置１１，１２へ通知する。図１１の例では、基地局装置１０は、レイヤ１の共通無線リソースである無線リソース７４０を使用する。更に、基地局装置１０は、無線リソース７４０での送信ダイバーシチを適用した送信により、端末装置１１，１２宛ての制御情報を一括して送信する。これにより、端末装置１１，１２が制御情報を受信する際の受信品質を改善することが可能である。
【００５１】
本実施形態によれば、複数の端末装置１１，１２に対してＭＵ−ＭＩＭＯを適用した場合にも、異なる空間レイヤの無線リソースを割り当てられた複数の端末装置１１，１２に対して、プリエンプションに関連する制御情報を一括して通知することが可能になる。これにより、無線リソースの浪費を防止し、周波数利用効率を高めることが可能になる。
【００５２】
［第３実施形態］
第３実施形態では、プリエンプションに関連する制御情報の送信用の無線リソースを選択する際に、間欠受信（ＤＲＸ）機能によるｅＭＢＢ用の端末装置の動作状態に基づいて、個別無線リソース又は共通無線リソースを選択する例について説明する。第１実施形態と共通する部分については説明を省略し、相違する部分について説明する。
【００５３】
図１２及び図１３は、本実施形態に係る、プリエンプションに関連する制御情報の、端末装置の動作状態に基づく送信例を示す図である。本実施形態では、端末装置１１，１２は、オン状態においてデータの受信を行い、オフ状態においてデータの受信を行わないように動作するＤＲＸ機能を有している。また、基地局装置１０は、端末装置１１，１２の動作状態（オン状態又はオフ状態）の切り替えを制御してもよい。あるいは、端末装置１１，１２が自律的に動作状態の切り替えを行い、動作状態を示す情報を基地局装置１０へフィードバックしてもよい。いずれの場合にも、基地局装置１０は、端末装置１１，１２の動作状態（オン状態又はオフ状態）を把握できる。
【００５４】
本実施形態では、基地局装置１０は、図１２に示すように、端末装置１１に対してスケジューリングされたデータ送信と、端末装置１２に対してスケジューリングされたデータ送信とが完了するタイミングｔ１に、端末装置１１，１２の両方がオン状態である場合には、共通無線リソース（無線リソース７４０）を選択する。なお、図１２及び図１３の例では、端末装置１１へのデータ送信の完了タイミングと、端末装置１２へのデータ送信の完了タイミングとがアラインしていないことを前提としている。この場合、データ送信の完了直後に無線リソース７４０で制御情報を送信することで、端末装置１１，１２のいずれも制御情報を受信可能である。
【００５５】
一方、基地局装置１０は、図１３に示すように、端末装置１１に対してスケジューリングされたデータ送信と、端末装置１２に対してスケジューリングされたデータ送信とが完了するタイミングｔ１に、端末装置１１，１２の少なくともいずれかがオフ状態である場合には、個別無線リソース（無線リソース７４１，７４２）を選択する。図１３の例では、端末装置１２へのデータ送信の完了後、端末装置１１へのデータ送信が完了するまでの間に、端末装置１２がオン状態からオフ状態へ移行している。この場合、端末装置１１へのデータ送信が完了するタイミングに制御情報を送信しても、端末装置１２は当該制御情報を受信することができない。このような場合には、基地局装置１０は、個別無線リソースを使用して、端末装置１１，１２のそれぞれに対して制御情報を送信する。
【００５６】
本実施形態によれば、端末装置１１，１２の動作状態に応じて、端末装置１１，１２に対して制御情報を一括して通知することが可能になる。これにより、無線リソースの浪費を防止し、周波数利用効率を高めることが可能になる。
【符号の説明】
【００５７】
１０：基地局装置、１１〜１３：端末装置
４１：無線通信部、４２：スケジューリング部、４３：データ送信部、４４：通知送信部
５１：無線通信部、５２：データ受信部、５３：データ記憶部、５４：通知受信部
５５：復調処理部
【図１】
2018182359.tif 000003
【図２】
2018182359.tif 000004
【図３】
2018182359.tif 000005
【図４】
2018182359.tif 000006
【図５】
2018182359.tif 000007
【図６】
2018182359.tif 000008
【図７】
2018182359.tif 000009
【図８】
2018182359.tif 000010
【図９】
2018182359.tif 000011
【図１０】
2018182359.tif 000012
【図１１】
2018182359.tif 000013
【図１２】
2018182359.tif 000014
【図１３】
2018182359.tif 000015